(57)【要約】【課題】フィルムの画像取得に於いて、赤外画像を用いるゴミ傷除去処理でのゴミ傷判定の誤りや、補間元情報の誤りにより誤補間してしまう事を防ぐ。【解決手段】方向毎に非ゴミ傷点可視情報を複数取得、情報の距離を考慮、ゴミ傷を通した可視画像との類似性比較、を行い類似で距離が近い情報から補間値を決定する。【選択図】        図１
2006303882.tif 000002
【特許請求の範囲】
【請求項１】
ゴミ傷補正装置を有するフィルムスキャナーにおいて、周辺非ゴミ傷点の類似性を検証して、補間を行う装置において、周辺の類似性を検討するに当たって、被検討点までの距離の考慮および／または複数の非ゴミ傷可視情報を選択的に用いる事で、補間情報の確度を上げて異常パターンで補間する事を防止したことを特徴とするフィルムスキャナー。
【請求項２】
ゴミ傷補正装置を有するフィルムスキャナーにおいて、周辺非ゴミ傷点の類似性を検証して、補間を行う装置において、周辺の非ゴミ傷可視情報を選択するに当たって、ゴミ傷と判定された部分の可視情報との類似性を考慮する事で、補間情報の確度を上げて異常パターンで補間する事を防止したことを特徴とするフィルムスキャナー。
【発明の詳細な説明】
【技術分野】
【０００１】
本発明はゴミ傷補正機能を持つフィルムスキャナーに関する物である。
【背景技術】
【０００２】
従来から赤外画像を用いて可視画像上のゴミ傷を検出して、被検出個所の可視データーをゴミ傷周辺の非ゴミ傷個所の可視データーから補間することで、ゴミ傷を埋める事でゴミ傷を消してしまう機械はあった。
【０００３】
例えば、赤外光の減少程度により、ゴミ傷個所の可視データーを補償することで元来の可視データーを再生するようにすることが提案されている（例えば、特許文献１参照）。
【０００４】
ところが、傷によっては赤外光での減光程度と可視画像の減光程度の関係が異なり、正しい補償にならない場合が多く実用的では無かった。
【０００５】
また、異常な補間をしないように、補間に当たって、非ゴミ傷個所の可視データーを同一レベルの物に限定することが提案されている（例えば、特許文献２参照）。
【０００６】
しかし、ごみ傷判定の誤りにより、非ゴミ傷個所を誤ってゴミ傷個所と判断して可視情報を取得できなかったり、ゴミ傷個所の可視情報を誤って引用したり、して誤った可視情報を元にレベル判定を行って誤った補間処理を行う場合が在った。その結果、パターン（以下、Ｐａｔｔｅｒｎと称す）を持った部分の補間に関しては限定したレベルが正しくない場合もあった。
【０００７】
例えば、図１はゴミ傷の例で、横方向に傷があり上下方向に連続したＰａｔｔｅｒｎがある場合であるが、ゴミ傷処理を行わない場合ａ）は傷領域のＰａｔｔｅｒｎが傷により濃度が減少した画像３２）として取得される。ところが、従来のゴミ傷処理に於いてはｂ）に示すように、特定探索方向にＰａｔｔｅｒｎを異常補間してしまう場合があった。これは特定の探索方向のデーターを限定したレベルと誤認したり、隣接情報から傷部分を補間するに当たって誤って特定Ｐａｔｔｅｒｎを拡張した結果であった。
【０００８】
このように、誤補間してしまうと、補間しない場合よりも悪くなって目立ってしまう問題点があった。
【特許文献１】特開２０００−１１５４６４号公報
【特許文献２】特開２０００−１１５４６５号公報
【発明の開示】
【発明が解決しようとする課題】
【０００９】
このような誤補間を防ぐため、補完する基となる可視情報の選択を行って、ゴミ傷補間での問題点を防止する事で、ゴミ傷除去の効果を確実にする必要がある。
【００１０】
本発明は、以上の点に着目して成されたもので、補間作業に於ける正常画素情報の取得において、複数方向の可視情報や複数半径の可視情報を使って誤補間を防いだり、半径による重み付けを用いて誤補間の拡張を防ぎ、非補償の可視情報を周辺情報の選択参考として用いる事で、誤補間を防ぐ様にした事を特徴としている。
【課題を解決するための手段】
【００１１】
この発明は下記の構成を備えることにより上記課題を解決できるものである。
【００１２】
（１）ゴミ傷補正装置を有するフィルムスキャナーにおいて、周辺非ゴミ傷点の類似性を検証して、補間を行う装置において、周辺の類似性を検討するに当たって、被検討点までの距離の考慮および／または複数の非ゴミ傷可視情報を選択的に用いる事で、補間情報の確度を上げて異常パターンで補間する事を防止したことを特徴とするフィルムスキャナー。
【発明の効果】
【００１３】
本発明によれば、探索方向から複数の非ゴミ傷点の可視情報を併用する事、対などの評価に於いて非ゴミ傷点までの距離を考慮する事、ゴミ傷を通した可視画像情報との類似性を考慮する事、その後、類似可視情報から順位を持たせて選択して、選択された可視情報から補間処理を行う事で、誤りの少なく、Ｐａｔｔｅｒｎが在っても補間誤りが目立たない補間処理が実現できる。
【発明を実施するための最良の形態】
【００１４】
誤った情報による誤補間を防ぐために、複数方向の可視情報を用いるだけでなく、距離の考慮や複数点の可視情報を考慮し、加えて、ゴミ傷個所の傷を通した可視情報をも総合的に考慮して、補間値を決定するように構成した。
【実施例】
【００１５】
装置について説明：
図２は情報取得部分の説明図で、フィルム８）を９）に示す方向に定速駆動しながら、可視光源１０）で照明された可視画像を可視リニア（１次元）ＣＣＤ−１１）で受像し、赤外光源１２）ので照明された赤外画像を赤外リニア（１次元）ＣＣＤ−１３）で受像する事で、フィルム上の２次元画像を取得するように構成している。
【００１６】
図３は画像記憶部分のブロック図で、上述ＣＣＤからの画像信号を可視画像記憶１４）、赤外画像記憶１５）に収納して、２次元（平面）画像として記憶する。赤外画像の透過率（≒輝度）のヒストグラムを求める部分１６）では、ヒストグラムからゴミ傷らしい累積分布を示す透過率（≒輝度）を求め、その値と比較する事により、赤外画像の２値化を比較１７）を用いて行い、ゴミ傷個所を示す欠損画素情報として欠損画素記憶１８）に収納する。補間処理部分１９）では欠損画素情報１８）に基づいて、可視画像情報１４）の欠損該当個所について周辺非欠損可視情報からの補間作業を行い、補間画像記憶２０）に補間を施してゴミ傷のない画像として記憶するように構成している。なお、赤外画像への可視情報干渉をキャンセルするルートは２２）で、フィルム種類によって可視情報の低減に応じて該当赤外画像への干渉低減をキャンセルすべく、赤外画像情報を増加するように構成している。
【００１７】
図５は赤外画像のヒストグラム例で、通常は可視減光率の影響が少ないので高透過率の分布が主であるが、一部に可視減光率の影響とゴミ傷により赤外透過率が低下した分布を示している。この為、積算頻度として数％の部分に関してゴミ傷の可能性が高いので、それ以下のレベルをゴミ傷とみなすための判定レベルを出力するように働いている。
【００１８】
本発明は補間処理部分１９）の処理に関する物であり、図４は処理フローで、欠損個所について８方向に所定半径（〜０．５ｍｍ）について、他の非欠損点を探索して、存在した場合は２個までを同方向の可視情報を半径と共に記憶する。このように探索された可視情報について類似色で並び替えを行い、周辺の色情報としてまとめる。その後、８方向の中で対となる方向数の多い順でかつ平均半径は小さい順に並べる事で周囲に一番近い色順に整理を行う。ここで、傷の場合に元の色が残っている可能性が高いのでその類似色について順位を上げて、より元の色に近い色を選択するようにしている。
【００１９】
無論ゴミなどで元の色を残していない場合もあるので、順位の変更のみに留め、周辺近傍からの補間を主に生かした形を採っている。
【００２０】
図１で説明すると、従来はｂ）の様にたまたま見つけた斜め方向の非ゴミ傷個所の情報から誤ってＰａｔｔｅｒｎを誤って斜めに延長補間してしまったり、ゴミ傷領域内で誤って非ゴミ傷と判断した白情報からＰａｔｔｅｒｎを切断して白で補間してしまう場合があった。
【００２１】
本発明は、上述の８方向内の複数の非ゴミ傷領域の可視情報を取得し、平均半径の小さく類似色の順位から補間情報を決定する事で、ｃ）に示すように、上下につながっているＰａｔｔｅｒｎの延長部分のゴミ傷領域については、「対」「非ゴミ傷可視情報」「複数」から（若干太さは変化するが）Ｐａｔｔｅｒｎを延長してＰａｔｔｅｒｎ補間部分３１）を作成するようにした。
【００２２】
逆にＰａｔｔｅｒｎ延長部以外３２）では「距離（半径）の近い」「周囲に数多く」存在する白情報で補間をするようにした。
【００２３】
この様に探索方向に関して複数の情報を考慮する事で、ゴミ傷判定の誤りによる、ゴミ傷内での非ゴミ傷との誤判定によってその個所の情報を誤って採用したり、非ゴミ傷個所でのゴミ傷との誤判定による有効情報の損失を防ぎ、半径を考慮する事で遠距離部分からの情報に依る誤補間」を防止している。
【００２４】
この事で、特許文献２に在った、誤情報でレベル判断を誤ってしまう事を防いでいる。
【００２５】
加えて、ａ）に示すような傷を通した灰色の可視情報３３）の類似色に関して、補間色の順位を上げる事で、Ｐａｔｔｅｒｎ補間部分３１）に関して黒を選択し易く、Ｐａｔｔｅｒｎ以外の部分に関しては３２）に示すように白を選択し易くしている。
【００２６】
この事によって、特許文献１の方法では不完全な補間処理を、周囲の類似レベルから補間することで、「傷による可視／赤外の減少程度の違い」に影響されない様にしている。
【００２７】
言い換えれば、対方向の複数の非ゴミ傷個所可視情報を元に距離を考慮して補間する事は、単数の非ゴミ傷個所可視情報の寄与を低減する事や距離による補間信頼性を考慮する事を意味しており、いわばＰａｔｔｅｒｎを考慮してフィルターを掛けるように補間する（ボカす）事と同様の効果といえる。
【００２８】
上記説明で、同一方向の非ゴミ傷情報を２個所としたのは、複数個所の説明を簡略にしただけで数を限定する主旨ではない。
【図面の簡単な説明】
【００２９】
【図１】説明図
【図２】情報取得部分の断面図
【図３】画像記憶部分のブロック図
【図４】処理フロー図
【図５】赤外画像ヒストグラム
【符号の説明】
【００３０】
８）  フィルム
１１），１３）  ＣＣＤ
２０）  補間画像情報
３２）  処理前のＰａｔｔｅｒｎ
３１）  補間Ｐａｔｔｅｒｎ
【図１】
2006303882.tif 000003
【図２】
2006303882.tif 000004
【図３】
2006303882.tif 000005
【図４】
2006303882.tif 000006
【図５】
2006303882.tif 000007